【事件の表示】
　特願２００５−２６６４２８号「加熱調理器」拒絶査定不服審判事件〔平成１９年３月２９日出願公開、特開２００７−７８２４５号〕について、次のとおり審決する。
【結　論】
　本件審判の請求は、成り立たない。
【理　由】
１．手続の経緯
　本件に係る出願（以下「本願」という。）は、平成１７年９月１４日の出願であって、平成２２年１０月２８日付けで拒絶査定がなされ（発送日：同年１１月２日）、これに対し、同年１２月１３日に拒絶査定不服審判の請求がなされたものである。
　
２．本願発明について 
　本願の請求項１に係る発明（以下「本願発明」という。）は、平成２２年３月１０日付け手続補正書により補正された明細書、特許請求の範囲及び図面の記載からみて、その特許請求の範囲の請求項１に記載された事項により特定される次のとおりのものである。 
「調理器本体の前面適所に操作パネルを配置すると共に、この操作パネルの上端部を回転軸により枢支し、かつ電動機構により上記回転軸を中心に垂直状態から上方に向けて傾斜する様に構成して成る加熱調理器であり、
　上記操作パネルの底面を底板により閉塞して該底面にラックギヤを設け、このラックギヤと噛合するピニオンギヤを備えたモータを、このピニオンギヤに対向して上記調理器本体内に装着して成る加熱調理器。」
　
３．刊行物について
（１）原査定の拒絶の理由において提示された刊行物である実願昭５４−１４４４６２号（実開昭５６−６３０８５号）のマイクロフィルム（以下「刊行物１」という。）には、図面と共に次の事項が記載されている。
a)「実用新案登録請求の範囲
　側板に軸受孔と該軸受孔を中心とした弧状長孔をもつ前面パネルと、該
前面パネルが突出できる前面開口
前面パネルを任意の傾斜位置に固定できる
b)「本考案は、
電気音響機器等
c)「本考案は、顔の高さを変えないままでパネルでの操作ができるようにすることを目的とした傾斜自在の操作パネル機構である。」（第2ページ第2行〜同第4行）
d)「次に図面について本考案の実施例を説明する。本考案の第１の実施例は、第１図乃至第４図に示すように、
軸受孔２と該軸受孔２を中心とした弧状長孔３を設けてある側板１と部分筒体４を一体にもつ前面パネル５と、前面に開口６を、側面板前部の上下に
もつ機器キヤビネツト７
螺着し
軸受孔２に回転自在に嵌合するねじ６
１
’
ねじ孔６
２
に螺入し弧状長孔３に挿入固着
　第２図に示す
前面パネル１
１
が垂直な状態
前面パネル５の下部を手前に引けば
　
前面パネル５に設けるスイツチ類
e)「上述の通り本考案によれば、簡単な機構により、前面パネルを自由な角度に上向きばかりでなく下向きさせることができるので、取扱者は、機器の置場所の高低や、身長の長短には影響されずに、取扱操作を極めて容易に正確に行うことができる。」（第4ページ第3行〜同第8行）
f)上記dの摘記事項、及び、図面の図示内容から、
部分筒体４が前面パネル５の底面を構成すること
　
　上記a〜eの記載事項、上記fの認定事項、及び、図面の図示内容を総合勘案すると刊行物１は、次の発明が記載されていると認められる。 
「機器キャビネット７が前面にもつ開口６にスイッチ類を設けた前面パネル５を突出可能に設け、
　前面パネル５の側板１に設けた軸受孔２に、機器キャビネット７の側面板前部の上に螺着したねじ６１’を回転自在に嵌合し、
　前面パネル５を軸受孔２を中心として、垂直な位置と下部を手前に引いた任意の傾斜位置とに固定できる機器であって、
　前面パネル５は、側板１と底面を構成する部分筒体４とを一体にもち、
　前面パネル５の側板１に軸受孔２を中心とした弧状長孔３を設け、ねじ６２’を側面板の前部の下に螺入し、弧状長孔３の任意の位置に挿入固着する、取扱者が、取扱操作を極めて容易に正確に行うことができる電気音響機器等。」
　
（２）原査定の拒絶の理由において提示された刊行物ある実用新案登録第２５４４４４２号公報（以下「刊行物２」という。）には、図面と共に次の事項が記載されている。
a)「〔産業上の利用分野〕
　本考案は、カセットテーププレーヤ、コンパクトディスクプレーヤ、イコライザ等の音響機器に係り、特に
音響機器の前面に取り付ける
〔従来の技術〕
　上記のような音響機器の前面ボードには、通常、種々のダイヤルやつまみが配置されて機器の操作を行わしめる機能、液晶やEL素子が配置されて機器の作動状況を表示する機能、あるいは美観を持つデザイン機能などが要求されており、それらの機能を果たすべく、機器の種類ごとに種々の機構、操作部材の配置、デザインなどに工夫がなされている。
〔考案が解決しようとする問題点〕
　ところで近年、音響機器の機種の多様化が進行するのに伴って、操作者がいかなるポジションからでも快適に操作できるものが望まれている。しかしながら、操作パネルが固定しており、操作者のポジションが高い所にある場合などは、操作者の目線と操作パネルとによって生じる角度が鋭角的となり見ずらいものとなっていた。
〔問題点を解決するための手段〕
　本考案は、上記問題点を解決するために、音響機器の各種動作を操作し、かつ、記録媒体の挿入口を開閉自在に取り付けられた操作パネルを前面に設けてなる音響機器において、前記操作パネルの開閉操作を行うための開閉操作手段と、該開閉操作手段の操作に応じて前記操作パネルを開閉させる操作パネル駆動手段とを備え、前記操作パネルを全閉状態から記録媒体を挿入可能な全開状態までの角度範囲内の所望の角度に設定できるようにしたことを特徴とする。」（第1ページ第1欄第12行〜第2ページ第3欄第11行）
b)「〔実施例〕
　以下、図面を参照して本考案の実施例を説明する。
　第１図ないし第15図において、１は、ボード本体２と機能部材３とから構成される前面ボード、
４
て摺動自在に取り付けられた操作パネル
　上記ボード本体２は、樹脂等からほぼ長方形のフレーム状に形成されており、音響機器のシャーシやケース（図示略）に固着されるとともに、その前面には、上記操作パネル４を収容する凹所５が形成されている。この凹所５は、その底面６が軸を水平とする緩やかな円弧面を描くようにされており、一方、
操作パネル４の裏面4a
操作パネル４の裏面4aには上記ギア車11に噛合するラック12が形成されている
上記ギア車11は、シャフト13及び減速機14を介してボード本体の裏側一端に設置された開閉用モータ15の出力軸に接続され
c)「この実施例においては、音響機器の操作を行う操作パネルをボード本体に、該ボード本体を開閉自在に覆うように取り付けたので、操作パネルを開くことにより、機能部材を露出させ、操作部の面積を拡大して有効に使用できる。また。
操作パネル開閉用のモータを設けたので、操作パネルを手動で開閉する場合に比べ、操作が容易であり
操作パネルの開閉を手動で行ってもよい
〔考案の効果〕
　以上説明したように、本考案は、記録媒体の挿入口を操作パネルの背後に設け、そのスペース分だけ操作パネルを大きくし、視認性を良好にした音響機器において、操作パネルの状態として、完全に閉じた全閉状態と記録媒体を挿入可能な全開状態とを開閉操作手段により単に切り換えるだけでなく、開閉操作手段を操作するだけで、操作パネルを操作者の所望の位置に自由に調整でき、
操作パネルを操作者にとって最適な角度に簡単な操作で設定できる
　
　上記a〜cの記載事項、及び、図面の図示内容を総合勘案すると刊行物２は、次の発明が記載されていると認められる。 
「音響機器の前面に操作パネルを摺動自在に取り付け、
　操作パネル４の裏面４ａの円弧状部分に、ラック１２を形成し、
　このラック１２に噛合するギア車１１が、シャフト１３及び減速機１４を介して開閉用モータ１５の出力軸に接続され、開閉用モータ１５をボード本体２の裏側一端に設置することにより、操作パネルを操作者にとって最適な角度に簡単な操作で設定できる音響機器。」
　
４．対比
　本願発明と刊行物１に記載された発明とを対比する。
　刊行物１に記載された発明の「突出可能に設け」ることは、その構成及び機能からみて、本願発明の「配置する」ことに相当し、以下同様に、
　「前面パネル５の側板１に設けた軸受孔２に、機器キャビネット７の側面板前部の上に螺着したねじ６１’を回転自在に嵌合」することは、「操作パネルの上端部を回転軸により枢支」することに、
　「前面パネル５は、側板１と底面を構成する部分筒体４とを一体にも」つことは「操作パネルの底面を底板により閉塞」することに、
それぞれ相当する。
　
　そして、刊行物１に記載された発明の「機器キャビネット７が前面にもつ開口６にスイッチ類を設けた前面パネル５を突出可能に設け」ることと、本願発明の「調理器本体の前面適所に操作パネルを配置する」こととは、「機器本体の前面適所に操作パネルを配置する」ことで共通し、以下同様に、
　刊行物１に記載された発明の「前面パネル５を軸受孔２を中心として、垂直な位置と下部を手前に引いた任意の傾斜位置とに固定できる」ことと本願発明の「電動機により回転軸を中心に垂直状態から上方に向けて傾斜する様に構成して成る」こととは、「回転軸を中心に垂直状態から上方に向けて傾斜する様に構成して成る」ことで、
　刊行物１に記載された発明の「電気音響機器等」と本願発明の「加熱調理器」とは、「機器」であることで、
それぞれ共通する。
　
　したがって、上記両者の一致点および相違点は、次のとおりである。
［一致点］
「機器本体の前面適所に操作パネルを配置すると共に、この操作パネルの上端部を回転軸により枢支し、かつ上記回転軸を中心に垂直状態から上方に向けて傾斜する様に構成して成る機器であり、
　上記操作パネルの底面を底板により閉塞して成る機器。」
　
［相違点１］
　機器が、本願発明では、加熱調理器であるのに対して、刊行物１に記載された発明では、電気音響機器等である点。
　
［相違点２］
　回転軸を中心に垂直状態から上方に向けて傾斜させる手段が、本願発明では、電動機構によるものであり、操作パネルの底面にラックギヤを設け、このラックギヤと噛合するピニオンギヤを備えたモータを、このピニオンギヤに対向して上記調理器本体内に装着して成るのに対して、刊行物１に記載された発明では、手動によるものであり、前面パネル５の側板１に軸受孔２を中心とした弧状長孔３を設け、ねじ６２’を側面板の前部の下に螺入し、弧状長孔３の任意の位置に挿入固着するものである点。
　
５．当審による判断
（１）相違点１について
　操作パネルは、電気音響機器に限らず、加熱調理器にも広く具備されるものである。
　そして、刊行物１に記載された発明において、電気音響機器等に設けた操作パネルの構成を、加熱調理器の用途に特定して用いることに格別の困難は存在せず、当業者が必要に応じてなし得たものである。
　
（２）相違点２について
　本願発明と刊行物２に記載された発明とを対比する。
　刊行物２に記載された発明の「音響機器の前面に操作パネルを摺動自在に取り付け」ることと本願発明の「調理器本体の前面適所に操作パネルを配置する」こととは、「機器本体の前面適所に操作パネルを配置する」ことで共通し、以下同様に、
　刊行物２に記載された発明の「操作パネル４の裏面４ａの円弧状部分に、ラック１２を形成」ること、本願発明の「操作パネルの」「底面にラックギヤを設け」ることとは、後者において、操作パネルの底面は、本願の【図２】の図示内容によると円弧形状面により構成されていることから、両者は、「操作パネルを構成する機器内に位置する円弧形状面部分にラックギヤを設け」ることで、
　刊行物２に記載された発明の「開閉用モータ１５をボード本体２の裏側一端に設置した」ことと本願発明の「モータを、このピニオンギヤに対向して上記調理器本体内に装着して成る音響機器」とは、前者において、ボード本体２が音響機器本体を構成するものであり、開閉用モータ１５はギア車１１とともに音響機器本体内に設けられるものであるから、両者は、「モータを、このピニオンギヤと共に機器本体内に装着して成る機器」であることで、
それぞれ共通する。
　そして、刊行物２に記載された発明の「ラック１２に噛合するギア車１１が、シャフト１３及び減速機１４を介して開閉用モータ１５の出力軸に接続され」ることは、その構成及び機能からみて、本件補正発明の「ラックギヤと噛合するピニオンギヤを備えたモータ」に相当する。
　したがって、刊行物２に記載された発明は、「機器本体の前面適所に操作パネルを配置し、操作パネルを構成する機器内に位置する円弧形状面部分にラックギヤを設け、ラックギヤと噛合するピニオンギヤを備えたモータを備え、モータを、このピニオンギヤと共に機器本体内に装着して成る機器。」と言い換えることができる。
　
　そして、刊行物１に記載された発明と刊行物２に記載された発明とは、機器本体の前面適所に配置した操作パネルの操作面を傾斜させることにより、操作パネルの取扱操作を極めて容易に正確に行う技術である点で共通する。
　また、刊行物２の上記３．（２）c)の記載事項によれば、操作パネルの開閉を手動で行うか、モータにより自動で行うかについて、選択可能な事項であることが示唆されている。
　したがって、刊行物１に記載された発明に刊行物２に記載された発明を適用して、前面パネル５の開閉を手動で行うことに換えて、モータにより自動で行うこと、かつ、そのために部分筒体４の円弧形状面部分にラックギヤを設け、このラックギヤと噛合するピニオンギヤを備えたモータを機器本体内に装着することは、当業者が容易になし得たものである。
　そして、その際に、ピニオンギヤとモータとの配置について、機器本体内の部品の配置状況、ピニオンギヤやモータの形状等を考慮して決定すべき事項であり、モータからピニオンギヤへの効率的な動力伝達を考慮して、モータを、ピニオンギヤに対向させて機器本体内に装着することは、当業者が適宜なし得たものである。
　
（３）小括
　本願発明の奏する効果についてみても、刊行物１〜２に記載された発明から当業者が予測できた効果の範囲内のものである。
 　 
６．むすび 
　以上のとおりであるから、本願発明は、刊行物１〜２に記載された発明に基づいて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。